(57)【要約】【課題】  電磁油圧制御手段の個体差によるばらつきを低減し、制御精度を向上する油圧制御方法を提供する。【解決手段】  自動変速機の変速制御処理において、摩擦要素に供給する出力油圧目標値をリニアソレノイド弁への指令電流値に変換する際、リニアソレノイド弁の個体毎に作成された「指令電流対指令油圧マップ」を使用する。この「指令電流対指令油圧マップ」を作成するマップ作成処理は、検出段階（Ｓ２１）、差分算出段階（Ｓ２２Ａ）および補正段階（Ｓ２３Ａ）を含む。検出段階では、リニアソレノイド弁の設計仕様をもとに作成された「規範マップ」に基づいて指令油圧Ｐｎが時間に対して直線的に変化するように指令電流Ｉをスイープし、実出力油圧Ｐｏを検出する。差分算出段階では、実出力油圧Ｐｏと指令油圧Ｐｎとの差分ΔＰを算出する。補正段階では、規範マップに対して差分を補正する。【選択図】図７
2011256987.tif 000002
【特許請求の範囲】
【請求項１】
複数の摩擦要素の係合と開放とにより車両の自動変速を行う油圧制御装置であって、
出力油圧目標値を設定する油圧指令手段と、
あらかじめ作成された指令電流対指令油圧マップに基づき前記出力油圧目標値を指令電流値に変換する電流指令手段と、
前記指令電流値に基づき駆動電流を発生する電流発生手段と、
駆動電流が通電されることにより電磁吸引力を発生し、前記複数の摩擦要素へ供給する出力油圧を制御する電磁油圧制御手段と、
を備え、
前記指令電流対指令油圧マップは、
前記電磁油圧制御手段の設計仕様をもとに作成される規範マップに基づき、前記電磁油圧制御手段の個体毎に、指令油圧が時間に対して直線的に変化するように指令電流を変化させたときの出力油圧を検出し、前記規範マップに対し、検出した出力油圧と前記規範マップに基づく指令油圧との差分を補正して作成されることを特徴とする油圧制御装置。
【請求項２】
前記電磁油圧制御手段は、
前記複数の摩擦要素に連通するポート、及び、油圧供給源に連通するポートを有するスリーブと、
前記スリーブに摺動可能に収容され、前記スリーブとの相対位置によって前記油圧供給源から前記複数の摩擦要素へ供給される出力油圧を調圧するスプールと、
通電される電流値に応じた電磁吸引力を発生し前記スプールを駆動する電磁駆動部と、
を備え、
前記電磁吸引力、及び、油圧により前記電磁吸引力と反対向きに前記スプールに作用する推力を釣り合わせることにより出力油圧を制御するリニアソレノイド弁であることを特徴とする請求項１に記載の油圧制御装置。
【請求項３】
複数の摩擦要素の係合と開放とにより車両の自動変速を行う油圧制御方法であって、
自動変速を制御する変速制御処理は、
油圧指令手段が出力油圧目標値を設定する油圧指令段階と、
電流指令手段があらかじめ作成された指令電流対指令油圧マップに基づき前記出力油圧目標値を指令電流値に変換する電流指令段階と、
電流発生手段が前記指令電流値に基づき駆動電流を発生する電流発生段階と、
駆動電流が通電されることにより電磁油圧制御手段が電磁吸引力を発生し、前記複数の摩擦要素へ供給する出力油圧を制御する電磁油圧制御段階と、
を含み、
前記指令電流対指令油圧マップを作成するマップ作成処理は、
前記電磁油圧制御手段の設計仕様をもとに作成される規範マップに基づき、前記電磁油圧制御手段の個体毎に、指令油圧が時間に対して直線的に変化するように指令電流を変化させたときの出力油圧を検出する検出段階と、
前記検出段階で検出した出力油圧と前記規範マップに基づく指令油圧との差分を算出する差分算出段階と、
前記規範マップに対し、前記差分算出段階で算出した差分を補正する補正段階と、
を含むことを特徴とする油圧制御方法。
【請求項４】
前記検出段階は、指令油圧が時間に対して直線的に上昇するように実行する昇圧検出段階と、指令油圧が時間に対して直線的に下降するように実行する降圧検出段階とを含み、
前記差分算出段階において、前記昇圧検出段階および前記降圧検出段階で検出した出力油圧と前記規範マップに基づく指令油圧との差分を算出することで、昇圧用の指令電流対指令油圧マップおよび降圧用の指令電流対指令油圧マップを作成することを特徴とする請求項３に記載の油圧制御方法。
【請求項５】
前記検出段階は、指令油圧が時間に対して直線的に上昇するように実行する昇圧検出段階と、指令油圧が時間に対して直線的に下降するように実行する降圧検出段階とを含み、
前記差分算出段階において、前記昇圧検出段階および前記降圧検出段階で検出した出力油圧の平均値と前記規範マップに基づく指令油圧との差分を算出することで、昇圧用および降圧用を兼ねる指令電流対指令油圧マップを作成することを特徴とする請求項３に記載の油圧制御方法。
【請求項６】
前記検出段階において、指令油圧を低圧側から高圧側へ上昇させる前に、指令油圧を一時的に所定の初動圧にするように指令電流を変化させることを特徴とする請求項３〜５のいずれか一項に記載の油圧制御方法。
【発明の詳細な説明】
【技術分野】
【０００１】
本発明は、自動変速機用の油圧制御装置および油圧制御方法に関する。
【背景技術】
【０００２】
自動変速機は、クラッチやブレーキ等の複数の摩擦要素を選択的に係合または開放して変速を行う。このとき、摩擦要素に供給される油圧が適切でないと変速ショックを生じたり、変速遅れを生じたりする。そこで、従来、出力油圧の制御精度を高める油圧制御装置または油圧制御方法が提案されている。例えば、特許文献１には下記（ａ）〜（ｄ）の構成を含む油圧制御方法が開示されている。
【０００３】
（ａ）ソレノイドの個体毎に「電気信号（ソレノイド駆動電流）」に対する「出力圧（クラッチ締結圧）」のデータを実測する。
（ｂ）「電気信号」と「信号圧（ソレノイド圧）」との関係は「基本マップ」として既知である。
（ｃ）上記（ａ）および（ｂ）から「信号圧（ソレノイド圧）」と「出力圧（クラッチ締結圧）」との関係を求めてコントローラ内に格納しておく。
（ｄ）変速を行う際、「出力圧要求値」から上記（ｃ）の関係に基づき「信号圧要求値」を求め、さらに上記（ｂ）の基本マップをもとに「電気信号（電流値）」を求めてソレノイドに供給する。
【先行技術文献】
【特許文献】
【０００４】
【特許文献１】特開２００１−１１６１３０号公報
【発明の概要】
【発明が解決しようとする課題】
【０００５】
特許文献１の上記（ｂ）に示される「電気信号（電流値）」と「信号圧」との関係は、電流値を横軸、信号圧を縦軸に表したとき、負の勾配を持つ曲線で示される。すなわち、電流値が小さいとき信号圧が大きく、電流値が増加するにつれ信号圧は減少する。また、小電流域および大電流域において電流値の変化に対する信号圧の変化が小さく、中電流域において電流値の変化に対する信号圧の変化が大きい。すなわち、電流値に対する信号圧は「逆Ｓ字形」の波形で示される。この特性は、上記（ａ）に示される「電気信号（電流値）」と「出力圧」との関係においても同様である。
【０００６】
また、上記（ａ）にて出力圧を実測する際、電流値を変化させたときに出力圧の変化が遅れるという「出力圧の応答遅れ」が問題となり得る。つまり、充分な時間が経過してから検出しない限り、電流値を小さい値から大きい値へ増やすときは出力圧が真の値よりも大きめに検出され、逆に電流値を大きい値から小さい値へ減らすときは出力圧が真の値よりも小さめに検出される傾向がある。
【０００７】
特に中電流域では、電流値の変化に対する信号圧の変化が大きいため、所定の電流値を変化させたときの出力圧の応答遅れによる検出誤差が増大する。
【０００８】
電流値を変化させてから充分な時間が経過してから出力圧を実測するという方法は現実的でなく、現実には所定の時間内に検出を行わざるを得ない。したがって、特許文献１の油圧制御方法では、ソレノイドの個体毎の出力圧の実測データに検出誤差を含むことが避けられない。よって、実使用時における制御精度を充分に向上することができない。
【０００９】
本発明は、このような点に鑑みて創作されたものであり、その目的は、電磁油圧制御手段の個体差によるばらつきを低減し、制御精度を向上する油圧制御装置および油圧制御方法を提供することにある。
【課題を解決するための手段】
【００１０】
請求項１に記載の発明は、複数の摩擦要素の係合と開放とにより車両の自動変速を行う油圧制御装置に係る発明である。この油圧制御装置は、油圧指令手段、電流指令手段、電流発生手段および電磁油圧制御手段を備える。
油圧指令手段は、出力油圧目標値を設定する。電流指令手段は、あらかじめ作成された指令電流対指令油圧マップに基づき出力油圧目標値を指令電流値に変換する。電流発生手段は、指令電流値に基づき駆動電流を発生する。電磁油圧制御手段は、駆動電流が通電されることにより電磁吸引力を発生し、複数の摩擦要素へ供給する出力油圧を制御する。
【００１１】
ここで、指令電流対指令油圧マップは、次のようにして作成される。まず、電磁油圧制御手段の設計仕様をもとに作成される規範マップに基づき、電磁油圧制御手段の個体毎に、指令油圧が時間に対して直線的に変化するように指令電流を変化させたときの実出力油圧を検出する。そして、規範マップに対し、検出した実出力油圧と前記規範マップに基づく指令油圧との差分を補正する。
【００１２】
これにより、油圧制御装置は、電磁油圧制御手段の個体毎に規範マップを補正して作成された「指令電流対指令油圧マップ」に基づき自動変速を行うため、電磁油圧制御手段の個体差によるばらつきを低減し、制御精度を向上することができる。
【００１３】
また、実出力油圧の検出段階で、指令油圧が時間に対して直線的に変化するように指令電流を変化させる。すなわち、「指令電流の変化に対する指令油圧の変化が小さい領域」では時間に対して指令電流を大きく変化させ、「指令電流の変化に対する指令油圧の変化が大きい領域」では時間に対して指令電流を小さく変化させる。これにより、実出力油圧と指令油圧との差分は、指令電流によらずほぼ一定の値となる。よって、出力油圧の応答遅れによる検出誤差の影響を最小限とすることができる。
【００１４】
なお、特許文献１に記載の用語を本発明の用語と対比すると、特許文献１に記載の「電気信号」、「信号圧」、「出力圧」、「出力圧要求値」が、それぞれ本発明の「指令電流」、「指令油圧」、「出力油圧」、「出力油圧目標値」に相当する。
【００１５】
請求項２に記載の発明によると、電磁油圧制御手段は、スリーブ、スプールおよび電磁駆動部を備えるリニアソレノイド弁である。
スリーブは、複数の摩擦要素に連通するポート、及び、油圧供給源に連通するポートを有する。スプールは、スリーブに摺動可能に収容され、スリーブとの相対位置によって油圧供給源から複数の摩擦要素へ供給される出力油圧を調圧する。電磁駆動部は、通電される電流値に応じた電磁吸引力を発生しスプールを駆動する。
以上の構成によるリニアソレノイド弁は、前記電磁吸引力、及び、油圧により前記電磁吸引力と反対向きに前記スプールに作用する推力を釣り合わせることにより出力油圧を制御する
これにより、電磁油圧制御手段の構成が具現化される。
【００１６】
請求項３に記載の発明は、複数の摩擦要素の係合と開放とにより車両の自動変速を行う油圧制御方法に係る発明である。この油圧制御方法は、請求項１に記載の油圧制御装置を用いて実行される。この油圧制御方法では、変速制御処理は、油圧指令段階、電流指令段階、電流発生段階および電磁油圧制御段階を含む。
【００１７】
油圧制御段階では、油圧指令手段が出力油圧目標値を設定する。
電流指令段階では、あらかじめ作成された指令電流対指令油圧マップに基づき電流指令手段が出力油圧目標値を指令電流値に変換する。
電流発生段階では、電流発生手段が前記指令電流値に基づき駆動電流を発生する。
電磁油圧制御段階では、前記駆動電流が通電されることにより電磁油圧制御手段が電磁吸引力を発生し、前記複数の摩擦要素へ供給する出力油圧を制御する。
【００１８】
さらに、指令電流対指令油圧マップを作成するマップ作成処理は、検出段階、差分算出段階および補正段階を含む。
検出段階では、前記電磁油圧制御手段の設計仕様をもとに作成される規範マップに基づき、前記電磁油圧制御手段の個体毎に、指令油圧が時間に対して直線的に変化するように指令電流を変化させたときの実出力油圧を検出する。
差分算出段階では、前記検出段階で検出した実出力油圧と前記規範マップに基づく指令油圧との差分を算出する。
補正段階では、前記規範マップに対し、前記差分算出段階で算出した差分を補正する。
これにより、請求項１に記載の油圧制御装置と同様の効果が得られる。
【００１９】
請求項４に記載の発明によると、検出段階は、指令油圧が時間に対して直線的に上昇するように実行する昇圧検出段階と、指令油圧が時間に対して直線的に下降するように実行する降圧検出段階とを含む。
続く差分算出段階において、昇圧検出段階および降圧検出段階で検出した出力油圧と規範マップに基づく指令油圧との差分を算出することで、昇圧用の指令電流対指令油圧マップおよび降圧用の２つの指令電流対指令油圧マップを作成する。
【００２０】
これにより、電磁油圧制御手段の個体毎に、昇圧用の指令電流対指令油圧マップと降圧用の指令電流対指令油圧マップが作成される。これらのマップは、指令電流の変化方向に対する出力油圧の応答遅れを反映したものとなっている。したがって、変速制御処理の電流指令段階で目標指令油圧値を指令電流値に変換する際、例えば２速から３速へのシフトアップの際には昇圧用の指令電流対指令油圧マップを使用し、３速から２速へのシフトダウンの際には降圧用の指令電流対指令油圧マップを使用することで、制御精度を向上することができる。
【００２１】
請求項５に記載の発明によると、検出段階は、指令油圧が時間に対して直線的に上昇するように実行する昇圧検出段階と、指令油圧が時間に対して直線的に下降するように実行する降圧検出段階とを含む。
続く差分算出段階において、昇圧検出段階および降圧検出段階で検出した出力油圧の平均値と前記規範マップに基づく指令油圧との差分を算出することで、昇圧用および降圧用を兼ねる１つの指令電流対指令油圧マップを作成する。
【００２２】
これにより、電磁油圧制御手段の個体毎に、昇圧用と降圧用を兼ねる１つの指令電流対指令油圧マップが作成される。電流指令手段が格納するデータベース容量が少なくなり、また、電流指令段階で油圧増減方向を識別して指令電流対指令油圧マップを選択する必要がないため、電流指令手段の演算量を軽減することができる。
【００２３】
請求項６に記載の発明によると、検出段階において、指令油圧を低圧側から高圧側へ上昇させる前に、指令油圧を一時的に所定の初動圧にするように指令電流を変化させる。
【００２４】
電磁油圧制御手段は、摺動部の摩擦等により、停止時からの初動時において所定値以上の油圧がかからないと作動しない場合がある。したがって、指令油圧を一時的に所定の初動圧にして確実に初動させた後に低圧に戻し、低圧側から高圧側へ上昇させることで検出精度が向上する。
【図面の簡単な説明】
【００２５】
【図１】本発明の一実施形態による油圧制御装置が適用される自動変速機の模式図。
【図２】本発明の一実施形態によるリニアソレノイド弁の断面図。
【図３】図２のリニアソレノイド弁の調圧部を示す要部拡大断面図。
【図４】本発明の一実施形態によるリニアソレノイド弁の（ａ）：プランジャ位置と電磁吸引力との関係を示す特性図、（ｂ）、（ｃ）：スプール位置と推力との関係を示す特性図。
【図５】本発明の一実施形態によるリニアソレノイド弁の指令電流と出力油圧との関係を示す特性図。
【図６】本発明の第１実施例による変速制御処理のフローチャート。
【図７】本発明の第１実施例によるマップ作成処理のフローチャート。
【図８】本発明の第１実施例によるマップ作成処理で作成される指令電流対指令油圧マップ。
【図９】本発明の第１実施例によるマップ作成処理の検出段階で使用される検出装置の模式図。
【図１０】本発明の第１実施例によるマップ作成処理の検出段階を説明する説明図。
【図１１】本発明の一実施形態による油圧制御装置の作動例を説明する説明図。
【図１２】本発明の第２実施例によるマップ作成処理のフローチャート。
【図１３】本発明の第３実施例によるマップ作成処理の検出段階を説明する説明図。
【図１４】本発明の第４実施例によるマップ作成処理の検出段階を説明する説明図。
【図１５】比較例のマップ作成処理の検出段階を説明する説明図。
【発明を実施するための形態】
【００２６】
以下、本発明の実施形態による油圧制御装置および油圧制御方法を図面に基づいて説明する。
（一実施形態）
本発明の一実施形態による油圧制御装置を図１〜図５に示す。
まず、本発明の一実施形態による油圧制御装置が適用される自動変速機の油圧制御システムを図１に示す。油圧制御装置１０は、自動変速機１１とともに車両に搭載され、自動変速機１１を制御する。図１に示す自動変速機１１は、いわゆる多段自動変速機であり、複数の歯車を使用して力を伝え変速比を段階的に変化させる。
【００２７】
自動変速機１１には、油圧制御装置１０から供給される作動油の出力油圧に応じて作動する摩擦要素としての複数のクラッチ１２が設けられている。図１では、便宜上、１つのクラッチ１２のみを示している。
【００２８】
クラッチ１２は、油圧制御装置１０からピストン室１３へ導入される作動油の出力油圧によりクラッチピストン１５が作動することで、クラッチ板１４が係合または開放されるものである。出力油圧が所定の閾値以上のときクラッチ板１４が係合する。また、出力油圧が所定の閾値未満のときクラッチ板１４が開放される。このように、複数のクラッチ１２のクラッチ板１４の係合または開放の組み合わせ、及び、図示しないブレーキの係合または開放の組み合わせを変えることにより、自動変速機１１のレンジおよび変速比を変えることができる。
【００２９】
油圧制御装置１０は、リニアソレノイド弁２０およびＴＣＵ（トランスミッションコントロールユニット）６０を備えている。ここで、リニアソレノイド弁２０は、複数のクラッチ１２にそれぞれ対応するように複数設けられる。また、ＴＣＵ６０は、複数のリニアソレノイド弁２０と電気的に配線される。図１では、便宜上、１つのリニアソレノイド弁２０のみを示している。
リニアソレノイド弁２０は、特許請求の範囲に記載の「電磁油圧制御手段」に相当し、ＴＣＵ６０は、特許請求の範囲に記載の「油圧指令手段」、「電流指令手段」、「電流発生手段」に相当する。
【００３０】
リニアソレノイド弁２０は、クラッチ１２のピストン室１３へ導入される作動油の出力油圧を制御する。リニアソレノイド弁２０は、調圧部２１および電磁駆動部４０から構成されている。調圧部２１は、電磁駆動部４０により駆動され、出力油圧を調整する。調圧部２１は、流路５０を経由してオイルポンプ５４に接続され、流路５１を経由してクラッチ１２のピストン室１３と接続されている。また、調圧部２１は、流路５２を経由してオイルパン５５に接続されている。
【００３１】
オイルポンプ５４は、オイルパン５５に蓄えられている作動油を吸引および加圧し、所定のライン圧に調整して、流路５０を経由して調圧部２１に供給する。油圧供給源としてのオイルポンプ５４から供給された作動油は、調圧部２１にて目標の出力油圧に調整され、流路５１を経由してピストン室１３に供給される。調圧部２１にて油圧を調整する際に発生する余剰油は、流路５２を経由してオイルパン５５に戻される。
【００３２】
電磁駆動部４０は、調圧部２１における油圧の調圧動作を制御する。電磁駆動部４０は、ＴＣＵ６０から指令電流値に基づく駆動電流が供給され、電磁吸引力を発生する。調圧部２１は、電磁駆動部４０が発生する電磁吸引力によって制御される。
【００３３】
ＴＣＵ６０は、マイクロコンピュータおよび駆動回路等から構成され、後述する変速制御処理を実行する。ＴＣＵ６０には、変速制御処理を実行する上で必要な各種運転情報を取得するためのスロットル開度センサ６１、エンジン回転数センサ６２、タービン回転数センサ６３、レンジセンサ６４、車速センサ６５、油温センサ６６等が接続されている。油温センサ６６は、流路５１を流れる作動油の油温を検出している。
【００３４】
ＴＣＵ６０内に設けられるマイクロコンピュータは、メモリ６０ａに記憶された種々の制御プログラムを実行することにより、目標出力油圧値を算出し、さらに、指令電流値を算出する。駆動回路は、算出された指令電流値に基づき電磁駆動部４０を駆動するための駆動電流を発生する。
【００３５】
次に、リニアソレノイド弁２０について図２に基づいて説明する。
電磁駆動部４０は、リニアソレノイドであり、ステータ４１、プランジャ４４、コイル４５等から構成される。
ステータ４１は鉄等の磁性材料で筒状に形成されており、収容部４２および吸引部４３を有している。収容部４２は、プランジャ４４を径方向内側に収容している。吸引部４３は、収容部４２に対して調圧部２１側に設けられており、プランジャ４４を吸引する電磁吸引力をプランジャ４４との間に発生する。プランジャ４４は、鉄等の磁性材料で柱状に形成され、収容部４２内に軸方向に往復移動可能に収容される。
【００３６】
コイル４５は、収容部４２の径方向外側に設置されている。ＴＣＵ６０からの指令電流は、ターミナル４６を経由してコイル４５に供給される。コイル４５に指令電流が供給されると、指令電流に応じた磁束が発生する。磁束は、ステータ４１およびプランジャ４４を通過し、吸引部４３とプランジャ４４との間に電磁吸引力が発生する。そして、プランジャ４４は、シャフト４７とともに調圧部２１側に移動する。
【００３７】
調圧部２１は、いわゆるスプール弁であり、スリーブ２２、スプール３０、コイルスプリング３４等から構成される。
スリーブ２２は、ステータ４１と同軸上に筒状に形成されている。スリーブ２２は、径方向の外側と内側とを連通する複数の流体ポートを有している。複数の流体ポートとしてのフィードバックポート２６、入力ポート２３、出力ポート２４および排出ポート２５は、電磁駆動部４０側からこの順に配置されている。スリーブ２２の電磁駆動部４０と反対側の端部には、調整ねじ３５が設けられている。
【００３８】
入力ポート２３は、流路５０が接続され、所定のライン圧に調整された作動油がオイルポンプ５４から供給される。排出ポート２５は、入力ポート２３に供給された作動油を出力油圧に調整する際に発生する余剰油をオイルパン５５に排出する。
出力ポート２４は、流路５１が接続され、出力油圧に調整された作動油をピストン室１３に出力する。フィードバックポート２６は、流路５１から分岐した流路５３が接続され、出力ポート２４から出力された作動油の一部がスリーブ２２の内側に戻される。
【００３９】
スリーブ２２には、電磁駆動部４０とフィードバックポート２６との間に第一支持部２７が形成され、入力ポート２３と排出ポート２５との間に第二支持部２８が形成される。また、排出ポート２５と調整ねじ３５側の端部との間に第三支持部２９が形成される。
【００４０】
スプール３０は、スリーブ２２の径方向内側に、軸方向に往復移動可能に収容される。以下、スプール３０が電磁駆動部４０側（図２の右側）に移動することを「後退」といい、スプール３０が電磁駆動部４０（図２の左側）と反対側に移動することを「前進」という。
【００４１】
スプール３０は、電磁駆動部４０のシャフト４７に当接する側からフィードバックランド３１、入力ランド３２、排出ランド３３をこの順に設けている。フィードバックランド３１は、スリーブ２２の第一支持部２７に摺動可能に支持される。入力ランド３２は、第一支持部２７および第二支持部２８に摺動可能に支持される。排出ランド３３は、第二支持部２８および第三支持部２９に摺動可能に支持される。
【００４２】
スプール３０の往復移動によって、入力ランド３２と第二支持部２８とが軸方向に重なる支持長さＡ、及び、排出ランド３３と第二支持部２８とが軸方向に重なる支持長さＢが変化する。次に説明するように、この支持長さＡおよび支持長さＢに応じて、出力ポート２４から出力される作動油の出力油圧が変化する。
【００４３】
図３（ａ）に示すスプール３０の後退時の位置では、支持長さＡが短く支持長さＢが長い。このとき、入力ポート２３から「入力ランド３２の外壁と第二支持部２８の内壁との隙間（破線Ａ部）」を通って「入力ランド３２と排出ランド３３との間隙の空間Ｃ」へ流入する作動油の量は増加する。また、空間Ｃから「排出ランド３３の外壁と第二支持部２８の内壁との隙間（破線Ｂ部）」を通って排出ポート２５より流出する作動油の量は減少する。そのため、出力ポート２４より出力される出力油圧Ｐｏが上昇する。
【００４４】
一方、図３（ｂ）に示すスプール３０の前進時の位置では、支持長さＡが長く支持長さＢが短い。このとき、入力ポート２３から空間Ｃへ流入する作動油の量が減少し、空間Ｃから排出ポート２５へ流出する作動油の量が増加するため、出力ポート２４より出力される出力油圧Ｐｏが下降する。
このように、スリーブ２２に対するスプール３０の相対位置によって調圧部２１の出力油圧が変化する。
【００４５】
コイルスプリング３４は、一端が調整ねじ３５に当接し、他端がスプール３０の電磁駆動部４０と反対側の端面に当接して設けられている。コイルスプリング３４は、スプール３０、シャフト４７およびプランジャ４４を電磁駆動部４０側すなわち後退側に付勢している。これにより、電磁駆動部４０への通電または非通電によって、スプール３０とプランジャ４４とは一体に往復移動する。なお、スプール３０の移動方向を示す「後退」および「前進」をプランジャ４４の移動方向にも同様に適用する。
調整ねじ３５は、スリーブ２２へのねじ込み深さを調整することでコイルスプリング３４の付勢力を調整する。
【００４６】
次に、図４（ａ）を参照して、プランジャ位置と電磁吸引力との関係を説明する。「プランジャ位置」は、収容部４２におけるプランジャ４４の位置を示している。位置Ｓ０は、プランジャ４４の最後退位置を示す。位置Ｓｅは、プランジャ４４が吸引部４３と接触する最前進位置を示す。
【００４７】
図４（ａ）に示すように、電磁吸引力は、プランジャ位置にかかわらず、コイル４５に供給される指令電流Ｉが大きいほど増大する。また、特に指令電流Ｉが大きいときにはプランジャ位置の後退側で電磁吸引力が低下する傾向がある。
【００４８】
次に、図２、図４（ｂ）を参照して、スプール３０に発生する推力について説明する。「スプール位置」は、スリーブ２２に対するスプール３０の相対位置を示している。また、スプール３０とプランジャ４４とが一体に往復移動するため、スプール位置は、図４（ａ）のプランジャ位置に対応する。すなわち、位置Ｓ０は、スプール３０の最後退位置を示し、位置Ｓｅは、スプール３０の最前進位置を示す。
【００４９】
出力ポート２４から出力された作動油の出力油圧は、フィードバックポート２６に入力され、フィードバックランド３１および入力ランド３２の端面に作用する。ここで、入力ランド３２の直径ｄ２は、フィードバックランド３１の直径ｄ１より大きい（図３参照）ため、入力ランド３２の端面の受圧面積は、フィードバックランド３１の端面の受圧面積より大きい。そのため、フィードバックポート２６に入力された油圧により、入力ランド３２とフィードバックランド３１との受圧面積差に応じた推力Ｆｆｂがスプール３０を前進させる方向（図２、図３の左向き）に発生する。
【００５０】
また、スプール３０には、コイルスプリング３４の付勢力による推力Ｆｓｐがスプール３０を後退させる方向（図２の右向き）に発生する。ここで、推力Ｆｓｐは、スプール３０の移動位置全域において推力Ｆｆｂよりも大きく設定されるため、推力Ｆｓｐと推力Ｆｆｂの差の推力（Ｆｓｐ−Ｆｆｂ）がスプール３０の後退方向に発生することとなる。
【００５１】
一方、電磁駆動部４０が発生する電磁吸引力は、スプール３０の前進方向（図２の左向き）の推力Ｆｍｇとなる。前述したとおり、推力Ｆｍｇは、コイル４５に供給される指令電流に応じて変化する（図４（ａ）参照）。
【００５２】
図４（ｃ）は、図４（ａ）と図４（ｂ）を重ね合わせた特性図である。各指令電流値における推力Ｆｍｇと推力（Ｆｓｐ−Ｆｆｂ）との交点となるスプール位置で、推力Ｆｍｇと推力（Ｆｓｐ−Ｆｆｂ）とが釣り合う。例えば、コイル４５に供給される指令電流が０．６Ａのときのスプール位置はＳ２である。同様に、指令電流が０．２Ａのときのスプール位置はＳ１であり、指令電流が０．９Ａのときのスプール位置はＳ３である。なお、指令電流が０Ａのとき、すなわち電磁駆動部４０の非通電時のスプール位置はＳ０となる。
【００５３】
このように、指令電流Ｉとスプール位置とには相関がある。また、スプール位置と調圧部２１の出力油圧Ｐｏとには相関がある。よって、これらの相関から、図５に示すような指令電流Ｉと出力油圧Ｐｏとの関係を導くことができる。
指令電流Ｉと出力油圧Ｐｏとの関係は、指令電流Ｉを横軸に取り、出力油圧Ｐｏを縦軸に取ると負の勾配を持つ曲線となる。すなわち、指令電流Ｉが小さいとき出力油圧Ｐｏが大きく、指令電流Ｉが増加するにつれ出力油圧Ｐｏが小さくなる。
【００５４】
後述するように、自動変速機の変速制御処理では、変速後の出力油圧目標値Ｐｘを設定し、指令電流対出力油圧との関係から出力油圧目標値Ｐｘを出力するための指令電流Ｉｘを算出し、リニアソレノイド弁２０を駆動して出力油圧Ｐｏを制御する。
本発明の油圧制御装置１０は、この変速制御処理の制御精度を向上するものである。
【００５５】
次に、油圧制御装置１０を用いる油圧制御方法の変速制御処理について図６を参照して説明する。
ＴＣＵ６０は、図示しないイグニッションスイッチがオンのとき、各種センサ６１〜６５によるスロットル開度、エンジン回転数、タービン回転数、レンジ信号、車速等の情報に基づき変速段の切り換えが必要か否かを判断する。変速段の切り換えが必要である場合は、第何速から第何速へ切り換えるかという変速種を決定し、変速制御処理を開始する。以下、フローチャートの説明では、記号Ｓは、ステップを示す。
【００５６】
Ｓ０１の油圧指令段階では、ＴＣＵ６０は、決定した変速種にしたがい、その変速種に該当するクラッチ１２のピストン室１３に供給する作動油の出力油圧目標値Ｐｘを設定する。
Ｓ０２の電流指令段階では、ＴＣＵ６０は、後述する「マップ作成処理」によってリニアソレノイド弁２０の個体毎に作成された「指令電流対指令油圧マップ」に基づき、Ｓ０１で設定した出力油圧目標値Ｐｘを指令電流値Ｉｘに変換する。
【００５７】
Ｓ０３の電流発生段階では、ＴＣＵ６０は、Ｓ０２で変換された指令電流値に基づき駆動電流を発生する。
Ｓ０４の電磁油圧制御段階では、Ｓ０３で発生した駆動電流を通電することにより、リニアソレノイド弁２０の電磁駆動部４０が電磁吸引力を発生し、調圧部２１がクラッチやブレーキ等の複数の摩擦要素へ供給する出力油圧を調圧する。
その後、変速種に応じてギア比が変化したことを確認し、変速制御処理を終了する。
【００５８】
次に、Ｓ０２の油圧指令段階で使用される「指令電流対指令油圧マップ」を作成する「マップ作成処理」について複数の実施例を説明する。
（第１実施例）
「マップ作成処理」の第１実施例について図７を参照して説明する。マップ作成処理は、検出段階、差分算出段階および補正段階を含み、リニアソレノイド弁２０の個体毎に「指令電流対指令油圧マップ」を作成する。
【００５９】
Ｓ２１の検出段階では、まず、ＴＣＵ６０に格納されている「規範マップ」を参照する。規範マップは、図８に示すように、指令電流対指令油圧の関係を示すものである。規範マップは、リニアソレノイド弁２０の各構成部品の寸法等の諸元値（ノミナル値）すなわち設計仕様を基に作成される。
【００６０】
ところで、現実に製造されるリニアソレノイド弁２０の特性は、各構成部品の寸法公差や組み立てのばらつき等により、規範マップに対しある幅を持った範囲に分布する。そのため、Ｓ０２の電流指令段階で、一律に規範マップに基づいて出力油圧目標値Ｐｘを指令電流値Ｉｘに変換すると、リニアソレノイド弁２０の個体差によって出力油圧目標値Ｐｘと実出力油圧Ｐｏとの誤差が大きくなる場合があり、自動変速機の変速ショックを生じるおそれがある。
そこで、Ｓ２１〜Ｓ２３でリニアソレノイド弁２０の個体毎に「マップ作成処理」を実行し、リニアソレノイド弁２０の個体毎に「指令電流対指令油圧マップ」を作成する。
【００６１】
Ｓ２１の検出段階では、規範マップを参照後、リニアソレノイド弁２０の実出力油圧Ｐｏを検出する。この検出段階で使用される検出装置を図９に示す。検出装置８０には油圧制御装置１０が設置される。油圧制御装置１０は、バルブボディ１８に複数のリニアソレノイド弁２０が装着されている。バルブボディ１８には作動油の流路が形成されている。
複数のリニアソレノイド弁２０は、それぞれＴＣＵ６０と導線６９で接続されており、ＴＣＵ６０から駆動電流を供給される。また、ＴＣＵ６０は、検出された出力油圧Ｐｏのデータをメモリ６０ａに格納する。
【００６２】
検出装置８０は、油圧制御装置１０を流れる作動油の油温を常に約８０℃に維持している。油圧制御装置１０の通常運転時における作動油の油温が約８０℃であるため、検出段階での作動油温度条件を、例えば８０±２０℃とすることが好ましい。
【００６３】
第１実施例の検出段階で実行される実出力油圧Ｐｏの検出について図１０を参照して説明する。図１０（ｂ）は、時間に対する指令電流Ｉの変化を示している。指令電流Ｉは規範マップにより指令油圧Ｐｎと関係づけられる。したがって、「時間に対する指令油圧Ｐｎの変化」（図１０（ｃ））を決めることにより、対応する指令電流Ｉの変化が決まる。なお、図１０（ｂ）では、指令電流Ｉの変化を模式的に折れ線で表示しているが、厳密には連続的な曲線波形を描く。
【００６４】
まず、時刻ｔ１〜ｔ４では、「指令油圧Ｐｎが時間に対して高圧値Ｈからゼロまで直線的に下降するように」指令電流Ｉをゼロから最大値Ｉｍａｘまで増加方向にスイープする。すなわち、規範マップの小電流域（図８参照）に対応する時刻ｔ１〜ｔ２では指令電流Ｉを相対的に速く変化させ、中電流域に対応する時刻ｔ２〜ｔ３では指令電流Ｉを相対的に遅く変化させ、大電流域に対応する時刻ｔ３〜ｔ４では指令電流Ｉを相対的に速く変化させる。すると、出力油圧Ｐｏは高圧値Ｈからゼロまで直線的に下降する。
【００６５】
時刻ｔ４〜ｔ５で指令油圧Ｐｎをゼロに維持した後、さらに、時刻ｔ５〜ｔ８で「指令油圧Ｐｎが時間に対してゼロから高圧値Ｈまで直線的に上昇するように」指令電流Ｉを最大値Ｉｍａｘからゼロまで減少方向にスイープする。すなわち、時刻ｔ１〜ｔ４と逆の要領で電流値を減少させることで、出力油圧Ｐｏはゼロから高圧値Ｈへ直線的に上昇する。
時刻ｔ１〜ｔ４の検出段階が特許請求の範囲に記載の「降圧検出段階」に相当し、時刻ｔ５〜ｔ８の検出段階が特許請求の範囲に記載の「昇圧検出段階」に相当する。このように、Ｓ２１の検出段階では、指令電流Ｉに対して「降圧時の出力油圧Ｐｏｄ」および「昇圧時の出力油圧Ｐｏｕ」の２通りのデータが得られる。
【００６６】
また、指令油圧Ｐｎを変化させる速度は、実使用条件に近い条件である±０．１ＭＰａ／ｓｅｃ〜１．０ＭＰａ／ｓｅｃとすることが好ましい。実使用条件に近い条件で検出することで制御精度をより向上することができる。
【００６７】
Ｓ２２Ａの差分算出段階では、検出した「降圧時の出力油圧Ｐｏｄ」および「昇圧時の出力油圧Ｐｏｕ」について、それぞれ、指令油圧Ｐｎとの差分ΔＰｄ、ΔＰｕを算出する。図１０（ａ）に示すように、時刻ｔ１〜ｔ４の降圧時には、出力油圧Ｐｏの変化が指令油圧Ｐｎの変化に対して所定時間遅れる分、出力油圧Ｐｏは指令油圧Ｐｎに対してプラスとなり、差分ΔＰｄは、指令電流Ｉによらずほぼ一定の値となる。また、時刻ｔ５〜ｔ８の昇圧時には、出力油圧Ｐｏは指令油圧Ｐｎに対してマイナスとなり、差分ΔＰｕは、指令電流Ｉによらずほぼ一定の値となる。
【００６８】
Ｓ２３Ａの補正段階では、「規範マップ」の指令油圧値Ｐｎに対して、Ｓ２２Ａで算出した差分ΔＰｄ、ΔＰｕを補正する。そして、図８に示すように、リニアソレノイド弁２０の個体毎に、降圧用および昇圧用の２とおりの「指令電流対指令油圧マップ」を作成する。これらのマップは、指令電流Ｉの変化方向に対する出力油圧Ｐｏの応答遅れを反映したものである。
以上で、図７に示すマップ作成処理を終了する。なお、Ｓ２１、Ｓ２２Ａ、Ｓ２３Ａの各段階は、全検出範囲についての各段階終了後に次の段階に移行するのではなく、検出ポイント毎に順次、次の段階に移行してもよい。
【００６９】
（作動例）
次に、図１１を参照して自動変速機の作動例を説明する。図１１は、２速から３速への変速波形を示している。図１１（ａ）は、トルクコンバータの出力であるタービン回転数を示す。言い換えれば、自動変速機の入力を示す。図１１（ｂ）は、自動変速機の出力としての出力軸トルクを示す。図１１（ｃ）は、油圧制御装置の出力油圧であるクラッチ圧を示す。
【００７０】
変速が開始されると摩擦要素の切り換えが実行される。具体的には、「２−４ブレーキ」を開放し、「ハイクラッチ」を係合する。期間＜１＞では「２−４ブレーキ」の係合が維持されている。期間＜２＞で「２−４ブレーキ」を開放するとともに、期間＜２＞〜＜３＞で「ハイクラッチ」を係合する。このとき、出力軸トルクの急激な変化による変速ショックを低減するため、出力軸トルクにイナーシャトルク（エンジン慣性トルク）が加わるように期間＜３＞のクラッチ圧が制御される。変速が完了すると、期間＜４＞では、タービン回転数および出力軸トルクは、３速に対応する値に移行する。
【００７１】
ここで、期間＜２＞〜＜３＞でクラッチ圧を上昇させるときの油圧変化速度は、一般に０．１ＭＰａ／ｓｅｃ〜１．０ＭＰａ／ｓｅｃである。また、指令油圧Ｐｎの変化に対して出力油圧Ｐｏの変化に応答遅れが生じる。さらに、リニアソレノイド弁２０の個体差により指令油圧Ｐｎに対する出力油圧Ｐｏの特性にばらつきが生じる可能性がある。
しかし、本発明の油圧制御方法によると、リニアソレノイド弁２０は個体毎に補正された「指令電流対指令油圧マップ」に基づいて出力油圧Ｐｏを出力するため、リニアソレノイド弁２０の個体差によるばらつきを小さくすることができる。
【００７２】
（効果）
次に、本発明の第１実施例による油圧制御方法の効果を説明する。
（１）油圧制御装置１０は、リニアソレノイド弁２０の個体毎に規範マップを補正して作成された「指令電流対指令油圧マップ」に基づき自動変速を行うため、リニアソレノイド弁２０の個体差によるばらつきを低減し、制御精度を向上することができる。
【００７３】
（２）実出力油圧Ｐｏの検出段階で、指令油圧Ｐｎが時間に対して直線的に変化するように指令電流Ｉをスイープする。これにより、実出力油圧Ｐｏと指令油圧Ｐｎとの差分ΔＰｄは、指令電流Ｉによらずほぼ一定の値となる。よって、出力油圧Ｐｏの応答遅れによる検出誤差の影響を最小限とすることができる。
【００７４】
（３）「指令電流対指令油圧マップ」は、昇圧用および降圧用の２とおりのマップが作成される。これらのマップは、指令電流Ｉの変化方向に対する出力油圧Ｐｏの応答遅れを反映したものとなっている。したがって、Ｓ０２の電流指令段階で目標指令油圧値Ｐｘを指令電流値Ｉｘに変換する際、例えば２速から３速へのシフトアップの際には昇圧用の指令電流対指令油圧マップを使用し、３速から２速へのシフトダウンの際には降圧用の指令電流対指令油圧マップを使用することで、制御精度を向上することができる。
【００７５】
（比較例）
次に、比較例の油圧制御方法の検出段階を図１５に基づいて説明する。
比較例では、時間に対して指令電流Ｉを直線的に変化させて出力油圧Ｐｏを検出する。すなわち、「規範マップ」により指令油圧Ｐｎと指令電流Ｉとの関係を参照することなく検出を実行する。したがって、図１５（ａ）に示すように、出力油圧Ｐｏは、規範マップと同様の「逆Ｓ字」または「Ｓ字」の波形で示される。
【００７６】
ここで、時刻ｔ１〜ｔ４の降圧時には出力油圧Ｐｏが指令油圧Ｐｎに対してプラスとなり、時刻ｔ５〜ｔ８の昇圧時には出力油圧Ｐｏが指令油圧Ｐｎに対してマイナスとなる点は、本発明の第１実施例（図１０参照）と類似する。
しかしながら、本発明の第１実施例と異なり、出力油圧Ｐｏと指令油圧Ｐｎとの差分ΔＰは指令電流Ｉによって一定でなく、特に中電流域において出力油圧Ｐｏと指令油圧Ｐｎとの差分ΔＰが増大する。そのため、比較例の検出段階では、変速時に変速ショック等が生じるおそれがある。
【００７７】
（第２実施例）
次に、本発明の第２実施例によるマップ作成処理を図１２のフローチャートに基づいて説明する。第２実施例は、Ｓ２１の検出段階は、第１実施例（図７参照）と同様であり、差分算出段階および補正段階が第１実施例と異なる。
Ｓ２２Ｂの差分算出段階では、時刻ｔ１〜ｔ４に検出した降圧時の出力油圧Ｐｏｄと、時刻ｔ５〜ｔ８に検出した昇圧時の出力油圧Ｐｏｕとの平均出力油圧Ｐｏａを算出し、平均出力油圧値Ｐｏａと指令油圧値Ｐｎとの平均差分ΔＰａを算出する。
【００７８】
Ｓ２３Ｂの補正段階では、「規範マップ」の指令油圧値Ｐｎに対して、Ｓ２２Ｂで算出した平均差分ΔＰａを補正し、リニアソレノイド弁２０の個体毎に、昇圧用と降圧用を兼ねる１つの「指令電流対指令油圧マップ」を作成する。
【００７９】
第２実施例によると、リニアソレノイド弁２０が格納するデータベース容量が少なくなり、また、電流指令段階で油圧増減方向を識別して指令電流対指令油圧マップを選択する必要がないため、ＴＣＵ６０の演算量を軽減することができる。
【００８０】
（第３実施例）
次に、本発明の第３実施例による検出段階を図１３に基づいて説明する。第３実施例では、出力油圧を検出する際、第１実施例とは逆に、指令油圧Ｐｎをゼロから開始し、時刻ｔ１〜ｔ４で「指令油圧Ｐｎが時間に対してゼロから高圧値Ｈまで直線的に上昇するように」指令電流Ｉを最大値Ｉｍａｘからゼロまで減少方向にスイープする。
時刻ｔ４〜ｔ５で指令油圧Ｐｎを高圧値Ｈに維持した後、さらに、時刻ｔ５〜ｔ８で「指令油圧Ｐｎが時間に対して高圧値Ｈからゼロまで直線的に下降するように」指令電流Ｉをゼロから最大値Ｉｍａｘまで増加方向にスイープする。
【００８１】
このように、昇圧時の出力油圧Ｐｏｕの検出と降圧時の出力油圧Ｐｏｄの検出とのどちらを先に実行してもかまわない。
なお、検出段階後、第１実施例のように昇圧時および降圧時の２とおりの「指令電流対指令油圧マップ」を作成してもよく、あるいは、第２実施例のように平均出力油圧の「指令電流対指令油圧マップ」を作成してもよい。
【００８２】
（第４実施例）
次に、本発明の第４実施例による検出段階を図１４に基づいて説明する。第４実施例では、出力油圧を検出する際、最初に、時刻ｔ０にて指令油圧Ｐｎを一時的に所定の初動圧値Ｓとするように、指令電流値Ｉｓを流し、時刻ｔ１まで維持する。時刻ｔ１で指令電流値Ｉを最大値Ｉｍａｘとして指令油圧Ｐｎをゼロに戻す。その後は第３実施例と同様、先に昇圧時の出力油圧Ｐｏを検出し、後で降圧時の出力油圧Ｐｏを検出する。
【００８３】
リニアソレノイド弁２０は、摺動部の摩擦等により、停止時からの初動時において所定以上の圧力がかからないと駆動できない場合がある。したがって、指令油圧Ｐｎを一時的に所定の初動圧Ｓとして確実に初動させた後にゼロに戻し、ゼロから高圧値Ｈへ上昇させることで検出精度が向上する。
【００８４】
（その他の実施例）
（ア）上記の実施例では、マップ作成処理の検出段階において、昇圧時の検出および降圧の検出を実行する。しかし、実使用時の要求等に応じて一方の検出のみを実行することで簡易的にマップを作成してもよい。
（イ）上記の実施例では、マップ作成処理の検出段階において、低圧側の油圧をゼロまで検出しているが、検出範囲の下限油圧として所定の低圧値を設定してもよい。
【００８５】
以上、本発明はこのような実施形態に限定されるものではなく、発明の趣旨を逸脱しない範囲において、種々の形態で実施することができる。
【符号の説明】
【００８６】
１０  ・・・油圧制御装置
１１  ・・・自動変速機
１２  ・・・クラッチ（摩擦要素）
１３  ・・・ピストン室
１４  ・・・クラッチ板、
１５  ・・・クラッチピストン
２０  ・・・リニアソレノイド弁（電磁油圧制御手段）
２１  ・・・調圧部
２２  ・・・スリーブ
２３  ・・・入力ポート
２４  ・・・出力ポート
２５  ・・・排出ポート
２６  ・・・フィードバックポート
３０  ・・・スプール
３１  ・・・フィードバックランド
３２  ・・・入力ランド
３３  ・・・排出ランド
４０  ・・・電磁駆動部
４１  ・・・ステータ
４３  ・・・吸引部
４４  ・・・プランジャ
４７  ・・・シャフト
５４  ・・・オイルポンプ（油圧供給源）
６０  ・・・ＴＣＵ（油圧指令手段、電流指令手段、電流発生手段）
８０  ・・・検出装置
【図１】
2011256987.tif 000003
【図２】
2011256987.tif 000004
【図３】
2011256987.tif 000005
【図４】
2011256987.tif 000006
【図５】
2011256987.tif 000007
【図６】
2011256987.tif 000008
【図７】
2011256987.tif 000009
【図８】
2011256987.tif 000010
【図９】
2011256987.tif 000011
【図１０】
2011256987.tif 000012
【図１１】
2011256987.tif 000013
【図１２】
2011256987.tif 000014
【図１３】
2011256987.tif 000015
【図１４】
2011256987.tif 000016
【図１５】
2011256987.tif 000017